(57)【要約】【課題】ゴルフパター用具において、カーリングやボーリングなどのゲーム感覚でパッティング練習を行うことを可能としつつも、パットスタートラインから打ち出したボールが基準マットから飛び出してしまうことを低減すること。【解決手段】ゴルフパター用具１は、アドレス表示部３とパッテングゾーン４と得点エリア表示部５とから構成される基準マット２と、パッテングゾーン４と得点エリア表示部５の周縁に凹部１２ａを有するガーター部１２からなる。得点エリア表示部５には、同心円状に描かれた複数の環状ラインによって囲まれた領域である複数の得点エリア１１が表示されている。これと共に、基準マット２の背面には、アンジュレーション調整マット９を差し入れる差込部１０が設けられている。【選択図】図１
2008246248.tif 000002
【特許請求の範囲】
【請求項１】
全体として帯状に形成され、一方の端部に、ボールを打ち出す基準位置を表すパットスタートライン（８）が表示されたアドレス表示部（３）、他方の端部に、前記ボールを打ち出す際の目標地点を表す複数の得点エリア（１１）が表示された得点エリア表示部（５）を有した基準マット（２）と、
少なくとも前記得点エリア表示部（５）の外周に配置され、かつ前記ボールの直径以上に幅が設定された凹部１２ａを有したガータ部（１２）と
を備えることを特徴とするゴルフパター用具（１）。
【請求項２】
前記ガータ部（１２）は、
前記凹部１２ａよりも外周に突設された壁部（１２ｂ）を有することを特徴とする請求項１に記載のゴルフパター用具（１）。
【請求項３】
前記基準マット（２）に対して、前記ガータ部（１２）を着脱自在とする固定機構
を有することを特徴とする請求項１または請求項２に記載のゴルフパター用具（１）。
【請求項４】
前記得点エリア表示部（５）に表示された得点エリア（１１）は、
中心を共有し、その中心からの距離が離れるほど、大きな径となる２以上の環状ラインを有し、前記環状ラインによって囲まれた領域であることを特徴とする請求項１ないし請求項３のいずれかに記載のゴルフパター用具。
【請求項５】
前記基準マット（２）における前記表面とは反対側の面を背面とし
前記基準マット（２）の背面には、
予めテーパ状に形成されたアンジュレーション調整マット（９）を着脱自在に形成された少なくとも１つの差込部（１０）を
備えることを特徴とする請求項１ないし請求項４のいずれかに記載のゴルフパター用具（１）。
【請求項６】
前記表面は、
人工芝、またはフェルトにより被覆されていることを特徴とする請求項１ないし請求項５のいずれかに記載のゴルフパター用具（１）。
【請求項７】
前記基準マット（２）は、
樹脂材料によって形成されていることを特徴とする請求項１ないし請求項６のいずれかに記載のゴルフパター用具（１）。
【請求項８】
前記基準マット（２）と、前記ガータ部（１２）は、
縁に互いに係合する凹凸を有した複数のパーツによって構成されていることを特徴とする請求項１ないし請求項７のいずれかに記載のゴルフパター用具（１）。
【発明の詳細な説明】
【技術分野】
【０００１】
本発明は、ゴルフのパッティング練習に用いるゴルフパター用具に関する。
【背景技術】
【０００２】
従来より、ゴルフのパッティング練習に用いられるゴルフパター用具が知られている（特許文献２、４参照）。
この種のゴルフパター用具は、帯状に形成された基準マットを中心に構成され、その基準マットは、一方の端部であり、かつボールを打ち出す基準位置を表すパットスタートラインが表示されたアドレス表示部と、基準マットの他方の端部であり、かつボールを打ち出す際の目標地点である１つのカップを有した（もしくは、一つカップを模擬した目標位置が表示された）目標部とを備えている。
【０００３】
しかし、特許文献２，４に記載のゴルフパター用具は、基準マット上に１つのカップが形成されているだけであるため、そのカップに向けて単純にパッティング動作を続けるしかなく、ややもするとパッティング練習が単調となり、練習が長続きしないという問題があった。
【０００４】
この問題を解決するため、一つのカップに換えて、ボールを打ち出す際の目標地点を複数表示した得点エリア表示部を設けたゴルフパター用具が提案されている（特許文献１，３参照）。
【０００５】
これら特許文献１，３に記載のゴルフパター用具（以下、従来マットと称す）を用いる場合、ボールの到達位置に応じて使用者に得点を付与する等のルールを予め設定することで、複数の使用者がゲーム感覚でパッティング練習を行え、パッティング練習が単調となることを防止できる。
【特許文献１】実開平６−４６７６３号公報
【特許文献２】登録実用新案第３０６３９５９号公報
【特許文献３】実開平６−４６７５７号公報
【特許文献４】特開平８−２１５３６１号公報
【発明の開示】
【発明が解決しようとする課題】
【０００６】
ところで、従来マットでは、使用者の技量によっては、パットスタートラインから打ち出したボールが従来マットから飛び出してしまうという問題があった。
つまり、使用者以外にも人が存在するような場所で、従来マットを使用すると、ボールが当たるなど使用者以外の人が迷惑を被るおそれがあった。
【０００７】
このため、従来マットでは、限られたスペースに多数設置して使用することが困難であるという問題があった。
そこで、本発明は、ゴルフパター用具において、ゲーム感覚でパッティング練習を行うことを可能としつつも、パットスタートラインから打ち出したボールが当該ゴルフパター用具から飛び出してしまうことを低減することを目的とする。
【課題を解決するための手段】
【０００８】
「特許請求の範囲」、及び「課題を解決するための手段」欄においては、発明に対する理解を容易にするため、必要に応じて後述する「発明を実施するための最良の形態」欄において用いた符号を付すが、この符号によって請求の範囲を限定することを意味するものではない。
【０００９】
上記目的を達成するためになされた本発明のゴルフパター用具（１）は、全体として帯状に形成され、一方の端部に、ボールを打ち出す基準位置を表すパットスタートライン（８）が表示されたアドレス表示部（３）、他方の端部に、前記ボールを打ち出す際の目標地点を表す複数の得点エリア（１１）が表示された得点エリア表示部（５）を有した基準マット（２）と、少なくとも前記得点エリア表示部（５）の外周に配置され、かつ前記ボールの直径以上に幅が設定された凹部（１２ａ）を有したガータ部（１２）とを備える。
【００１０】
このように構成された本発明のゴルフパター用具（１）では、パットスタートライン（８）から得点エリア（１１）に向けて打ち出されたボールが基準マット（２）から飛び出すと、その飛び出したボールは、ガータ部（１２）に形成された凹部（１２ａ）に落ちる。
【００１１】
このため、本発明のゴルフパター用具（１）によれば、当該ゴルフパター用具（１）の使用者の技量に拘わらず、当該ゴルフパター用具（１）からボールが飛び出すことを低減できる。
【００１２】
この結果、本発明のゴルフパター用具（１）によれば、当該ゴルフパター用具（１）から飛び出したボールを使用者が拾いに行くことがなくなり、使用者の手間を軽減できる。
しかも、本発明のゴルフパター用具（１）によれば、当該ゴルフパター用具（１）からボールが飛び出すことを低減しているため、ゴルフパター用具（１）の使用者以外にも人が存在するような場所に本発明のゴルフパター用具（１）を設置して使用したとしても、それらの使用者以外の人にボールが当たるなどして迷惑を掛けることを防止できる。
【００１３】
このため、使用者以外にも人が存在する様な場所、例えば、屋内の一室のような狭いスペース（具体的には、ゴルフ場のレストハウス、レストラン、レジャー施設（即ち、ゲームセンター等）、宿泊施設（即ち、ホテル・旅館等）、公共施設（即ち、学校や病院等）等が考えられる）にも、本発明のゴルフパター用具（１）を設置することができる。言い換えれば、本発明のゴルフパター用具（１）によれば、限られたスペースに多数設置することができる。
【００１４】
ところで、本発明のゴルフパター用具（１）によれば、複数の得点エリア（１１）が表示されているため、単にパッティング練習を行うだけでなく、様々な遊び方で利用することができる。
【００１５】
つまり、本発明のゴルフパター用具（１）によれば、複数の得点エリア（１１）が表示されていることから、ゲーム感覚でパッティング練習を行うことを可能としつつも、パットスタートライン（８）から打ち出したボールが当該ゴルフパター用具（１）から飛び出してしまうことを低減することができる。
【００１６】
例えば、本発明のゴルフパター用具（１）を用いた複数人での遊び方として、パットスタートライン（８）からボールを打ち出す毎に、どの得点エリア（１１）にボールが到達したのかに応じた得点を使用者毎に付与するものを採用すれば、本発明のゴルフパター用具（１）を用いた遊びを多数の人が楽しむことができる。
【００１７】
そして、このような遊び方であれば、パットスタートライン（８）からボールを打ち出すだけでよいため、体力を必要とせず、子供からお年寄りまで幅広い年齢の人が楽しむことができる。
【００１８】
また、本発明のゴルフパター用具（１）を用いた遊び方として、２〜３人を１チームとした団体戦ならびに個人戦による遊び方を適用して実施すれば、各使用者の好みやプレースタイルにあわせてゲームを楽しむことができる。
【００１９】
なお、本発明のゴルフパター用具（１）を自宅のリビングや廊下に設置して使用すれば、移動時間や利用料金がかからず経済的である。
これらのことから、本発明のゴルフパター用具（１）の使用者は、「いつでも、どこでも、気軽に、安全に、楽しく」様々な遊び方を楽しむことができる。この結果、使用者自身の健康づくりや、他人とのコミュニケーションを図ることによって人間関係のトラブルが解消することができる用具として、本発明のゴルフパター用具（１）を役立てることができる。
【００２０】
また、本発明のゴルフパター用具（１）におけるガータ部（１２）は、請求項２に記載のように、前記凹部（１２ａ）よりも外周に突設された壁部（１２ｂ）を有するように構成されていても良い。
【００２１】
このように構成された本発明のゴルフパター用具（１）によれば、仮に、ボールが凹部（１２ａ）から外周側に飛び出したとしても、そのボールは壁部（１２ｂ）と衝突して内側に戻されるため、当該ゴルフパター用具（１）からボールが飛び出すことをより確実に低減できる。
【００２２】
さらに、本発明のゴルフパター用具（１）は、請求項３に記載のように、前記基準マット（２）に対して、前記ガータ部（１２）を着脱自在とする固定機構を有するように構成されていても良い。
【００２３】
なお、ここでいう固定機構は、例えば、ガータ部（１２）に形成された係合突起、及び基準マット（２）に形成された被係合孔からなる構造であっても良いし、ガータ部（１２）及び基準マット（２）それぞれの縁に形成された互いに係合する凹凸からなる構造であっても良いし、さらには、面ファスナーやファスナー等を用いていても良い。
【００２４】
そして、本発明のゴルフパター用具（１）において、前記得点エリア表示部（５）に表示された得点エリア（１１）は、請求項４に記載のように、中心を共有し、その中心からの距離が離れるほど、大きな径となる２以上の環状ラインを有し、前記環状ラインによって囲まれた領域であることが望ましい。つまり、得点エリア（１１）は、同心円状に形成されていることが望ましい。
【００２５】
このように構成された本発明のゴルフパター用具（１）によれば、カーリング競技に類するようなルール（即ち、複数の使用者が規定回数ボールを打ち出す毎に、中心から最も近いボールの到達位置に従って勝ち負けを決定して勝者に得点を付与し、その得点の累積によって最終的な勝敗を決定するルール）を適用して、当該ゴルフパター用具（１）を用いて遊ぶことができる。
【００２６】
このようなカーリング競技に類する遊び方を実施すれば、複数（二人）の使用者が交互にボールを打ち出してボールの到達位置に応じた得点を単に加算していくような遊び方を実施した場合に比べて、趣を大とすることができる。
【００２７】
なお、本発明のゴルフパター用具（１）を用いて、上述した様なカーリング競技に類する遊び方を実施する場合に必要となる用具は、当該ゴルフパター用具（１）の他には、パタークラブ、ボールだけであるため、用具を取り揃えるために必要な費用を抑制できる。
【００２８】
ところで、本発明のゴルフパター用具（１）における基準マット（２）の背面には、請求項５に記載のように、予めテーパ状に形成されたアンジュレーション調整マット（９）を着脱自在に形成された差込部（１０）が少なくとも一つ形成されていても良い。
【００２９】
このように構成されたゴルフパター用具（１）によれば、アンジュレーション調整マット（９）を差込部（１０）に取り付けることで、変化に富んだ多様なアンジュレーションを容易に形成することができる。
【００３０】
なお、差込部（１０）が、アンジュレーション調整マット（９）を挿嵌可能な形状に形成された調整溝からなることが望ましい。
さらに、本発明のゴルフパター用具（１）における基準マット（２）は、請求項６に記載のように、前記表面が、人工芝、またはフェルトにより被覆されていても良いし、請求項７に記載のように、基準マット（２）そのものが、樹脂材料によって形成されていても良い。
【００３１】
後者のように基準マット（２）そのものが樹脂材料によって形成されていれば、当該ゴルフパター用具（１）を折り曲げたり、巻き取ったりすることで、当該ゴルフパター用具（１）のサイズを小さくすることができ、この結果、カバン等に収納して容易に持ち運ぶことができる。
【００３２】
なお、本発明のゴルフパター用具（１）において、前記基準マット（２）、及び前記ガータ部（１２）それぞれは、請求項８に記載のように、縁に互いに係合する凹凸を有した複数のパーツによって構成されていてもよい。
【００３３】
このように構成されたゴルフパター用具（１）では、基準マット（２）及びガータ部（１２）それぞれは、各パーツの縁に形成された凹凸を係合させることで、使用可能な状態へと組み立てられる。
【００３４】
つまり、ゴルフパター用具（１）を使用しない時に、基準マット（２）及びガータ部（１２）それぞれを各パーツに分割することで、狭いスペースでも容易に収納をすることができる。
【００３５】
また、このように構成された本発明のゴルフパター用具（１）によれば、組み立てる際に使用する基準マット（２）のパーツ数を変更することで、使用者が自身のレベルに合わせてパットスタートライン（８）から得点エリア（１１）までの距離を自由に設定できる。
【発明を実施するための最良の形態】
【００３６】
以下、本発明にかかるゴルフパター用具の実施形態を図面に基づいて説明する。
［第一実施形態］
〈ゴルフパター用具の構成〉
図１は、第一実施形態におけるゴルフパター用具１の全体構成を示す説明図である。
【００３７】
ゴルフパター用具１は、アドレス表示部３とパッティングゾーン４と得点エリア表示部５とから構成される合成樹脂または天然樹脂材料等の軟質な素材で形成される基準マット２と、前記基準マット２に貼付される人工芝またはフェルトまたは布の帯状上面マット６とから構成されている。
【００３８】
詳細には、アドレス表示部３は、前記パッティングゾーン４の幅と比して対称に狭められた形状の打席内にパットスタートライン８が表示された打席部７を設けて成り、パッティングゾーン４は、底面裏側にアンジュレーション調整マット９を差し入れる差込部１０を設けてある。アンジュレーション調整マット９を差し入れない場合は、通常のパター練習マットと同様な柔軟度を有している。得点エリア表示部５は、得点を区分するサークル状の得点エリア１１を表示して成り、パッティングゾーン４と得点エリア表示部５の周縁に段差を有するガータ部１２を周設した構成を採る。
【００３９】
すなわち、ゴルフパター用具１は、帯状上面マット６にアドレス表示部３とパッテングゾーン４と得点エリア表示部５とを設け、さらに得点エリア表示部５にサークル状の得点エリア１１を表示したことを最大の特徴とする。
【００４０】
また、ゴルフパター用具１の大きさは、特に限定されるものではないが、例えば、幅７０ｃｍ、長さは、初級４ｍ、中級５ｍ、上級６ｍの３種類といったように、競技者のレベルや設置スペースに応じて選択できるようにしておけばよい。得点エリア１１は、例えば、中心内側が１５ｃｍ、中間が３０ｃｍ、外側が４５ｃｍとなる幅で表示することなどが考えられる。
【００４１】
図２は、本発明にかかるゴルフパター用具１におけるアンジュレーションの設定を示す説明図である。
基準マット２のパッティングゾーン４の底面裏側にアンジュレーション調整マット９を差し入れる差込部１０を設けて成り、テーパ状のアンジュレーション調整マット９を差し込むことによって合成樹脂または天然樹脂材料等の軟質な素材で形成される基準マット２のパッティングゾーン４が起伏し、任意の微妙なアンジュレーションを設定することができる。また、アンジュレーション調整マット９の大きさ、形状は、多彩で方向とテーパ部の差し入れ具合で微妙なアンジュレーションを設定することが可能な構成を採る。
【００４２】
つまり、図１に示すように、ゴルフパター用具１は、樹脂材料（例えば、合成樹脂や天然樹脂）によって帯状に形成された１枚のマットである基準マット２と、基準マット２の少なくとも一部の部位の外周に配設されたガータ部１２とを備え、これら基準マット２とガータ部１２とは一体に形成されている。言い換えれば、ゴルフパター用具１は、ゴルフのパッティング練習に用いるためのゴルフパターマットとして構成されている。
【００４３】
その基準マット２は、一方の端部を含む部位であるアドレス表示部３と、他方の端部を含む部位である得点エリア表示部５と、アドレス表示部３と得点エリア表示部５とに挟まれた部位であるパッティングゾーン４とからなる。なお、基準マット２は、一方の面である表面が人工芝（もしくはフェルト等の布）によって被覆されている。
【００４４】
このうち、アドレス表示部３には、ボールを打ち出す基準位置を表すパットスタートライン８が表面に表示されている。ただし、アドレス表示部３は、基準マット２の角を矩形状に切り欠いた形状に形成されている。
【００４５】
また、得点エリア表示部５には、ボールを打ち出す際の目標地点を表す複数の得点エリア１１が表面に表示されており、その得点エリア１１は、円中心を共有し、その円中心からの距離が離れるほど、大きな径となる複数（本実施形態では３とする）の円形のライン（本発明の環状ラインに相当）によって囲まれた領域からなる。つまり、本実施形態における得点エリア１１は、同心円状に形成されている。
【００４６】
なお、ガータ部１２は、基準マット２の得点エリア表示部５及びパッティングゾーン４の外周に隣接するように配設されたものであり、予め規定された幅に設定された凹部１２ａと、凹部１２ａよりも外周側に突設された壁部１２ｂとを備えている。
【００４７】
このうち、凹部１２ａは、幅及び深さがボールの直径よりも長く設定された窪みであり、壁部１２ｂは、高さがボールの直径よりも高く設定されている。
ところで、図２に示すように、基準マット２の背面（即ち、表面とは反対側の面）には、予めテーパ状に形成されたアンジュレーション調整マット９を着脱自在な形状に形成された差込部１０が形成されている。その差込部１０は、アンジュレーション調整マット９を挿嵌可能な形状に形成された調整溝を有している。
【００４８】
つまり、アンジュレーション調整マット９が差込部１０に差し込まれることで、基準マット２に傾斜が形成される。
〈使用例〉
次に、第一実施形態のゴルフパター用具１の使用例について説明する。
【００４９】
このゴルフパター用具１を使用する方法としては、パットスタートライン８上に配置したボール（例えば、ゴルフボールや、グランドゴルフのボール）を、パタークラブを用いて得点エリア１１の円中心に向けて打ち出すことが考えられる。
【００５０】
さらに、ボールを打ち出す際には、通常のパッティング練習のみを行っても良いし、使用者間でルールを設定して、ゲームを行っても良い。
《基本ルールの説明》
次に、ゴルフパター用具１を用いたゲームのルールについて説明する。なお、以下で説明するルールを基本ルールと称す。
【００５１】
最初にお互いの合意のもとでパッテングゾーンの底面裏側にアンジュレーション調整マットを差し入れる。
試打を３球以内で打つことができる。
（１）コイントスまたはジャンケンで最初のフレームの先攻後攻を決定する。
（２）相手と異なったカラーボール３球を交互に打球する。
（３）前フレームの敗者が次のフレームの先攻になる。
（４）空振りやダフリ、身体やクラブの接触は１打とみなす。
（５）対戦相手のボールを故意に当てて得点エリア外に出すことができる。
《得点の演算方法の説明》
ここで、図３は、ゴルフパター用具１を使用したゲームの内容、及びそのゲームを実施することで、利用者らに付与する得点の演算方法について説明するための説明図である。
【００５２】
なお、図３に示す例は、上述した基本ルールでゲームを実施した場合を想定したものである。
お互いが３球打ち終わった時点でのマット上にあるボールの位置で得点が計算され、得点エリア内側中心が３ポイント、中間が２ポイント、外側が１ポイント、得点エリア以外は０ポイントとし、スコア用紙の各フレームの左上に記録される。打球された合計点数にそのフレームの勝者ならびに同点の場合に黒塗りのウィンナーマークと勝利ポイント１０が追加される。
【００５３】
１フレームから１０フレームまで同様に加算してゲームを進行させ、最後の１０フレームにトータル点数の多い方にウィンナーポイント１０点がさらに加えられ、最高得点２００ポイントで競技を行う。最終得点が同点の場合、ウィナーポイント１０点は、そのゲームのウィンナーマークが多い方に与えられ、さらに同点の場合は、各フレームの打球点数が９に近いポイントを獲得した方に与えられる。
《得点の演算方法の具体例》
次に、得点の演算方法について具体的に説明する。
【００５４】
例えば、この図３に示す例では、第１フレームは、コイントスにより先攻のＡは、１ポイントエリアに２個、０ポイントエリアに１個でこのフレームの合計は２ポイントとなりスコア用紙のフレームの左上に合計２ポイントが記録される。
【００５５】
後攻のＢは、２ポイントエリアに１個、１ポイントエリアに１個、０ポイントエリアに１個でスコア用紙のフレームの左上に合計３ポイントが記録され、さらに黒塗りのウィンナーマークが記録され１０ポイントが追加され、このフレームの合計は１３ポイントとなる。
【００５６】
以上のように打球による得点よりも勝敗による得点配分が大きいため、当然勝敗にこだわり、相手のボールを得点エリア外に押し出す作戦が採られるが、その外れた場合のリスクも大きく競技者同士の試合運びの駆け引きと試合を観戦する人の趣を大とするものである。
【００５７】
第２フレームは、先攻のＡは、３ポイントエリアに１個、２ポイントエリアに１個、１ポイントエリアに１個で、スコア用紙のフレームの左上に合計６ポイントが記録され、黒塗りのウィンナーマークおよびポイント１０が追加され、このフレームの合計は１６ポイントとなる。前フレームまでの２ポイントが加算され合計１８ポイントとなる。
【００５８】
後攻のＢは、３ポイントエリアに２個、１ポイントエリアに１個、０ポイントエリアに１個でスコア用紙のフレームの左上に合計４ポイントが記録され、前フレームまでの１３ポイントが加算され合計１７ポイントとなる。
【００５９】
第３フレームは、先攻のＢは、２ポイントエリアに２個、１ポイントエリアに１個でスコア用紙のフレームの左上に合計５ポイントが記録され、このフレームの合計は５ポイントとなる。前フレームまでの１７ポイントが加算され合計２２ポイントとなる。
【００６０】
後攻のＡは、３ポイントエリアに３個でスコア用紙のフレームの左上に合計９ポイントが記録され、さらに黒塗りのウィンナーマークが記録され１０ポイントが追加される。このフレームの合計は１９ポイントとなる。前フレームまでの１８ポイントが加算され合計３７ポイントとなる。
【００６１】
第４フレームは、先攻のＢは、３ポイントエリアに１個、２ポイントエリアに２個でスコア用紙のフレームの左上に合計７ポイントが記録され、さらに黒塗りのウィンナーマークが記録され１０ポイントが追加される。このフレームの合計は１７ポイントとなる。前フレームまでの２２ポイントが加算され合計３９ポイントとなる。
【００６２】
後攻のＡは、２ポイントエリアに１個、０ポイントエリアに２個でスコア用紙のフレームの左上に合計２ポイントが記録され、このフレームの合計は２ポイントとなる。前フレームまでの合計３７ポイントが加算され合計３９ポイントとなる。このように、２フレーム続けて敗退しても次の１フレームで一挙に挽回できるルールを採用しているため競技者は集中力と緊張感もって競技に取り組めるものである。
【００６３】
第５フレームは、先攻のＡは、２ポイントエリアに１個、０ポイントエリアに２個でスコア用紙のフレームの左上に合計２ポイントが記録され、このフレームの合計は２ポイントとなる。前フレームまでの３９ポイントが加算され合計４１ポイントとなる。
【００６４】
後攻のＢは、３ポイントエリアに１個、０ポイントエリアに２個でスコア用紙のフレームの左上に合計３ポイントが記録され、さらに黒塗りのウィンナーマークが記録され１０ポイントが追加される。このフレームの合計は１３ポイントとなる。前フレームまでの３９ポイントが加算され合計５２ポイントとなる。
【００６５】
尚、戦略上、打球がポイントエリア後方に位置するよりポイントエリア前方に位置した方が相手の得点を妨害するとともに、相手の打球が当たって自分の打球がポイントエリア内に入る可能性があるため有利である。
【００６６】
第６フレームは、先攻のＡは、３ポイントエリアに１個、２ポイントエリアに１個、０ポイントエリアに１個でスコア用紙のフレームの左上に合計５ポイントが記録され、黒塗りのウィンナーマークおよび１０ポイントが追加され、このフレームの合計は１５ポイントとなる。前フレームまでの４１ポイントが加算され合計５６ポイントとなる。
【００６７】
後攻のＢは、３ポイントエリアに１個、１ポイントエリアに１個、０ポイントエリアに１個でスコア用紙のフレームの左上に合計４ポイントが記録され、このフレームの合計は４ポイントとなる。前フレームまでの５２ポイントが加算され合計５６ポイントとなる。
【００６８】
例えば、先攻のＡが３球打ち終わった状態でリードしている状況で、後攻のＢが、最後の打球を３ポイントエリアに入れてもこのフレームに勝ちがない場合は、いちかばちか勝敗得点１０点を目指してＡのボールを得点エリア外に押し出すような勢いのついたパットを打って逆転を狙う戦術が考えられ、単に得点を加算していく従来のゲームに対して趣を大とするものである。
【００６９】
第７フレームは、先攻のＢは、３ポイントエリアに１個、１ポイントエリアに２個でスコア用紙のフレームの左上に合計５ポイントが記録され、このフレームの合計は５ポイントとなる。前フレームまでの５６ポイントが加算され合計６１ポイントとなる。
【００７０】
後攻のＡは、３ポイントエリアに２個、０ポイントエリアに１個でスコア用紙のフレームの左上に合計６ポイントが記録され、黒塗りのウィンナーマークおよび１０ポイントが追加され、このフレームの合計は１６ポイントとなる。前フレームまでの５６ポイントが加算され合計７２ポイントとなる。
【００７１】
第８フレームは、先攻のＢは、３ポイントエリアに１個、２ポイントエリアに２個でスコア用紙のフレームの左上に合計７ポイントが記録され、さらに黒塗りのウィンナーマークが記録され１０ポイントが追加される。このフレームの合計は１７ポイントとなる。前フレームのまで６１ポイントが加算され合計８８ポイントとなる。
【００７２】
後攻のＡは、２ポイントエリアに１個、０ポイントエリアに２個でスコア用紙のフレームの左上に合計ポ２ポイントが記録され、このフレームの合計は２ポイントとなる。前フレームまでの７２ポイントが加算され合計７４ポイントとなる。３ポイントエリアにＡが打った打球が２個あったが、後から打ったＢが、Ａの打球を得点エリア外に押し出して自分の打った打球が３ポイントエリアに残りこのフレームを勝ち取ることができた例である。
【００７３】
第９フレームは、先攻のＡは、３ポイントエリアに１個、０ポイントエリアに２個でスコア用紙のフレームの左上に合計３ポイントが記録され、黒塗りのウィンナーマークおよび同点１０ポイントが追加され、このフレームの合計は１３ポイントとなる。前フレームまでの７４ポイントが加算され合計８７ポイントとなる。
【００７４】
後攻のＢは、１ポイントエリアに３個でスコア用紙のフレームの左上に合計３ポイントが記録され、さらに黒塗りのウィンナーマークが記録され同点１０ポイントが追加される。このフレームの合計は１３ポイントとなる。前フレームまでの８８ポイントが加算され合計１０１ポイントとなる。
【００７５】
第１０フレームは、続いて先攻のＡは、３ポイントエリアに２個、２ポイントエリアに１個でスコア用紙のフレームの左上に合計７ポイントが記録され、黒塗りのウィンナーマークおよび１０ポイントが追加され、このフレームの合計は１７ポイントとなる。前フレームまでの８７ポイントが加算され合計１０４ポイントとなる。さらにＡには,トータルウィンナーポイント１０が追加され１１４ポイントとなる。
【００７６】
後攻のＢは、２ポイントエリアに１個、０ポイントエリアに２個でスコア用紙のフレームの左上に合計２ポイントが記録され、このフレームの合計は２ポイントとなる。前フレームまでの１０１ポイントが加算され合計１０３ポイントとなる。後攻の試合結果は、Ａがトータル１１４ポイント、Ｂが１０３ポイントでＡの勝利となる。
【００７７】
以上のように９フレームまでＢがリードしていても、各フレームの勝敗得点配分が大きいため、１フレームの得点で試合が逆転しまうこともあり、アグレッシブな試合展開が最後まで繰り広げられ、最後までゲームを盛り上げることができるルールを採用している。
【００７８】
［第一実施形態の効果］
以上説明したように、本実施形態のゴルフパター用具１では、アンジュレーション調整マット９を差込部１０に差し込むだけで、基準マット２に傾斜が形成される。このため、本実施形態のゴルフパター用具１によれば、様々なアンジュレーションを容易に形成することができ、さらには、その形成した様々なアンジュレーションでのパッティング練習を気軽に実行することができる。
【００７９】
本実施形態のゴルフパター用具１では、パットスタートライン８から得点エリアに向けて打ち出されたボールが基準マット２から飛び出すと、その飛び出したボールは、ガータ部１２に形成された凹部１２ａに落ちる。
【００８０】
このため、本実施形態のゴルフパター用具１によれば、当該ゴルフパター用具１の使用者の技量に拘わらず、当該ゴルフパター用具１からボールが飛び出すことを低減できる。
特に、本実施形態のゴルフパター用具１によれば、仮に、ボールが凹部１２ａから外周側に飛び出したとしても、そのボールは壁部１２ｂと衝突して内側に戻されるため、当該ゴルフパター用具１からボールが飛び出すことをより確実に低減できる。
【００８１】
この結果、本実施形態のゴルフパター用具１によれば、当該ゴルフパター用具１から飛び出したボールを使用者が拾いに行くことがなくなり、使用者の手間を軽減できる。
しかも、本実施形態のゴルフパター用具１によれば、当該ゴルフパター用具１からボールが飛び出すことを低減しているため、ゴルフパター用具１の使用者以外にも人が存在するような場所にゴルフパター用具１を設置して使用したとしても、それらの使用者以外の人にボールが当たるなどして迷惑を掛けることを防止できる。
【００８２】
このため、使用者以外にも人が存在する様な場所、例えば、屋内の一室のような狭いスペース（具体的には、ゴルフ場のレストハウス、レストラン、レジャー施設（即ち、ゲームセンター等）、宿泊施設（即ち、ホテル・旅館等）、公共施設（即ち、学校や病院等）等が考えられる）にも、ゴルフパター用具１を設置することができる。言い換えれば、ゴルフパター用具１によれば、限られたスペースに多数設置することができる。
【００８３】
ところで、ゴルフパター用具１によれば、複数の得点エリア１１が表示されているため、単にパッティング練習を行うだけでなく、様々な遊び方で利用することができる。
つまり、ゴルフパター用具１によれば、複数の得点エリア１１が表示されていることから、ゲーム感覚でパッティング練習を行うことを可能としつつも、パットスタートライン８から打ち出したボールが当該ゴルフパター用具１から飛び出してしまうことを低減することができる。
【００８４】
例えば、ゴルフパター用具１を用いた複数人での遊び方として、パットスタートライン８からボールを打ち出す毎に、どの得点エリアにボールが到達したのかに応じた得点を使用者毎に付与するものを採用して、その遊び方を複数人で実施すれば、ゴルフパター用具１を用いた遊びを多数の人が楽しむことができる。
【００８５】
そして、このような遊び方であれば、パットスタートライン８からボールを打ち出すだけでよいため、子供からお年寄りまで幅広い年齢の人が楽しむことができる。
また、ゴルフパター用具１を用いた遊び方として、２〜３人を１チームとした団体戦ならびに個人戦による遊び方を適用して実施すれば、各使用者の好みやプレースタイルにあわせてゲームを楽しむことができる。
【００８６】
なお、ゴルフパター用具１を自宅のリビングや廊下に設置して使用すれば、移動時間や利用料金がかからず経済的である。しかも、本実施形態のゴルフパター用具１を用いた遊びを実施するために必要な用具は、当該ゴルフパター用具１の他には、ボールと、パタークラブとだけで良いため、用具を揃えるために必要な費用が少なくて済む。つまり、使用者に、経済的な負担をかけることがない。
【００８７】
これらのことから、ゴルフパター用具１の使用者は、「いつでも、どこでも、気軽に、安全に、楽しく」様々な遊び方を楽しむことができる。この結果、使用者自身の健康づくりや、他人とのコミュニケーションを図ることによって人間関係のトラブルが解消することができる用具として、ゴルフパター用具１を役立てることができる。
【００８８】
しかも、本実施形態のゴルフパター用具１によれば、基準マット２が樹脂材料によって形成されているため、当該ゴルフパター用具１を折り曲げたり、巻き取ったりすることで、当該ゴルフパター用具１のサイズを小さくすることができる。この結果、ゴルフパター用具１をカバン等に収納して容易に持ち運ぶことができる。
【００８９】
なお、本実施形態のゴルフパター用具１を、公民館や体育館、商業施設に設置して、そのゴルフパター用具１を使用した遊び方を実施させることにより、従来にない新たなゲーム・娯楽ビジネスを提案できる。
［第二実施形態］
〈第二実施形態の構成〉
次に、第二実施形態におけるゴルフパター用具３０について説明する。
【００９０】
ここで、図６は、第二実施形態におけるゴルフパター用具の全体構成を示した説明図である。
ゴルフパター用具３０は、それぞれが異なる径により環状に形成された複数の環状部材１４と、複数の環状部材１４それぞれを接続する棒状部材１７と、当該ゴルフパター用具３０を立脚させるための足部１５とを備え、これらは金属材料（もしくは樹脂材料）によって一体に形成されている。
【００９１】
このうち、複数の環状部材１４は、円中心を共有し、その円中心からの距離が離れるほど、大きな径を有する部材となるように、即ち、同心円状に配置されていると共に、棒状部材１７によって互いの部材が接続されている。
【００９２】
そして、足部１５は、円中心からの距離が最も離れた位置に配置された環状部材１４から突設され、かつ長さがボールの直径よりも長く設定された棒状の部材である。つまり、足部１５は、環状部材１４の下をボールが通過するように、ゴルフパター用具３０を配置するための構成である。
【００９３】
なお、ゴルフパター用具３０の足部１５は、金属製や樹脂製が考えられるが、少なくとも地面から打球Ｄ以上の高さを確保する長さであればよい。但し、打球Ｄが足部に当たることを考慮すると可能な限り細くすることが望ましい。
【００９４】
なお、本実施形態におけるゴルフパター用具３０を使用する場合には（即ち、下記使用例では）、環状部材１４によって囲まれた領域を得点エリア１１として取り扱っても良い。
【００９５】
〈第二実施形態の使用例〉
次に、第二実施形態のゴルフパター用具の使用例について説明する。
図４は、第二実施形態のゴルフパター用具３０の使用例を示す説明図である。図４（ａ）は、ホールカップＣがある天然芝生グリーンＧ上等で、ゴルフパター用具３０をターゲットポスト１３に固定して使用する場合の例であり、図４（ｂ）は、ホールカップＣがない公園や空き地等で、ゴルフパター用具３０を地面に配置して使用する場合の例をそれぞれ示している。
【００９６】
ターゲットポスト１３は、既存のホールポストの柄の中間部に得点エリアを区分するゴルフパター用具３０を自在なクリップなどで係止したものである。利用方法は、既存のゴルフ場や特設の天然芝生グリーンＧ上にホールカップＣにターゲットポスト１３を差し込み、垂直上方から得点エリア１１を区分するサークル環内にある打球Ｄの位置で得点をカウントする方法でプレーを行う。また、従来の競技スタイルを好む場合は、ゴルフパター用具３０を単独で使用してプレーすることも可能である。
【００９７】
つまり、ゴルフパター用具３０は、図４（ａ）に示すように、グリーンＧ上に形成されたカップＣの位置を示すためのターゲットポスト１３に固定した上で、予め設定された位置（即ち、基準位置）からカップＣに向けてボールを打ち出して使用しても良い。また、ゴルフパター用具３０は、図４（ｂ）に示すように、屋外における地面や、屋内における床面等に配置した上で、予め設定された位置（即ち、基準位置）からゴルフパター用具３０に向けてボールを打ち出して使用しても良い。
【００９８】
なお、本実施形態のゴルフパターゲーム用具３０を使用したゲーム方法は、第一実施形態と同様であるため、ここでの説明は省略する。
［第二実施形態の効果］
以上説明したように、本実施形態のゴルフパターゲーム用具３０を使用する際には、屋外の地面や屋内の床面に配置するだけで良いため、パッティング練習や様々な遊びを手軽に行うことができる。
【００９９】
特に、本実施形態のゴルフパター用具３０をグリーン上でターゲットポストに固定して使用すれば、実際のゴルフ競技と同じ条件下で、様々な遊びを楽しむことができる。
ところで、従来マットでは、その従来マットを広げるだけのスペースが存在しなければ、即ち、従来マットを広げられないような細長いスペースでは使用することができないという問題があった。
【０１００】
これに対して、本実施形態のゴルフパター用具３０によれば、第一実施形態に記載のゴルフパター用具１における得点エリア表示部５に相当する部位を配置するだけで良いため、従来マットや第一実施形態に記載のゴルフパター用具１に比べて、より狭いスペースしか無くとも使用することができる。
［その他の実施形態］
以上、本発明の実施形態について説明したが、本発明は、上記実施形態に限るものではなく、本発明の要旨を逸脱しない範囲において、様々な態様にて実施することが可能である。
【０１０１】
例えば、上記実施形態におけるゴルフパター用具１，３０では、得点エリア１１を環状のラインもしくは環状部材１４に囲まれた領域としたが、得点エリアはこれに限るものではなく、矩形の領域や、楕円の領域であってもよい。また、得点エリア１１それぞれの配置も得点エリア表示部５内に配置されていれば、どのように配置されていてもよい。
【０１０２】
ここで、図５は、ガータ部１２が、基準マット２から、嵌め合いによって着脱可能とした実施形態を示す説明図である。
基準マット２とガータ部１２の接合部を凹凸による嵌め合い部１６によって係合している。
【０１０３】
つまり、上記第一実施形態におけるゴルフパター用具１は、ガータ部１２と基準マット２とを一体構成していたが、ゴルフパター用具１の構造は、これに限るものではなく、図５に示すように、ゴルフパター用具１を構成するガータ部１２及び基準マット２それぞれが、予め規定されたパーツによって構成されていてもよい。
【０１０４】
この場合、パーツそれぞれの縁には、互いに係合可能な凹凸が形成されていることが望ましい。つまり、凹凸を係合させることで、各パーツを、ガータ部１２及び基準マット２それぞれとして機能させるように、しいては、１つのゴルフパター用具１として機能させるように、組み立て可能に構成されていることが望ましい。
【０１０５】
このように構成されたゴルフパター用具によれば、当該ゴルフパター用具を使用しない時に、基準マット２及びガータ部１２それぞれを各パーツに分割することで、狭いスペースでも容易に収納をすることができる。
【０１０６】
また、このように構成されたゴルフパター用具によれば、組み立てる際に使用する基準マット２のパーツ数を変更することで、使用者が自身のレベルに合わせてパットスタートライン８から得点エリアまでの距離を自由に設定できる。
【０１０７】
また、上記第一実施形態におけるゴルフパター用具１は、ガータ部１２と基準マット２とを一体に構成していたが、ガータ部１２は、固定機構を用いて基準マットに対して着脱自在に構成されていても良い。
【０１０８】
このようにゴルフパター用具１が構成されている場合、固定機構としては、例えば、ガータ部１２に形成された係合突起、及び基準マット２に形成された被係合孔からなる構造であっても良いし、ガータ部１２及び基準マット２それぞれの縁に形成された互いに係合する凹凸からなる上述したような構造であっても良いし、さらには、面ファスナーやファスナー等を用いても良い。
【０１０９】
ところで、上記第一実施形態のゴルフパター用具１は、基準マット２と、ガータ部１２とから構成されていたが、これに加えて、演算制御ユニット６０を備えていても良い。
ただし、その演算制御ユニット６０は、図７に示すように、ボールの有無を検出する複数のボール検出センサ７０ｉ（ｉ＝１〜ｎ、ただし、ｎは２以上の自然数）と、ボール検出センサ７０ｉの検出結果に応じて、使用者毎に得点を演算する演算装置５０と、演算装置５０で演算した結果を表示する表示装置６１と、演算装置５０で演算した結果を音声にて出力する音声出力装置６２とを備えていることが望ましい。
【０１１０】
このように演算制御ユニット６０が構成されている場合、ボール検出センサ７０ｉは、表面から光を透過するように基準マット２内に埋設され、ボールからの反射光によってボールの有無を検出する光センサから構成されていても良い。ただし、この場合、ボール検出センサ７０ｉは、得点エリア表示部５及びパッティングゾーン４内に存在するボールの位置を演算装置５０が識別可能なように、配置されている必要がある。
【０１１１】
また、このようにゴルフパター用具１が構成されている場合、演算装置５０は、少なくともＲＯＭ５０ａ、ＲＡＭ５０ｂ，ＣＰＵ５０ｃを有した周知のマイクロコンピュータを中心に構成されていることが望ましい。
【０１１２】
ただし、演算装置５０は、ボール検出センサ７０ｉからの検出信号に従って、得点エリア表示部５及びパッティングゾーン４内に存在するボールの位置を演算装置５０が識別するように構成されている。
【０１１３】
これと共に、ＲＯＭ５０ａには、予め設定したルールに応じた得点の演算をＣＰＵ５０ｃが実行するための複数の処理プログラムが格納されている必要がある。なお、処理プログラムの実行による得点の演算方法としては、例えば、上記第一実施形態の使用例で示した基本ルールにおける得点の演算であっても良い。
【０１１４】
また、ボール検出センサ７０ｉは、カラー画像を撮影する画像センサーから構成されていても良い。この場合、使用者毎に異なる色のボールを使用することが望ましく、演算装置５０は、得点エリア表示部５及びパッティングゾーン４内に存在するボールの位置に加えて、ボール検出センサ７０ｉからの検出信号に従ってボールの色を識別するように構成されている必要がある。つまり、演算装置５０は、ボールの位置を使用者毎に特定可能なように構成されていても良い。
【０１１５】
この場合、処理プログラムは、ボール検出センサ７０ｉからの検出信号から識別した使用者毎のボールの位置に応じて、カーリング競技のルールに則った得点の演算を行うようになされていても良い。
【０１１６】
このように構成されたゴルフパター用具１によれば、得点の演算を使用者が実施する必要が無くなり、利便性を向上させることができる。また、得点の集計ミスを防止できる。
なお、上記実施形態のゴルフパター用具１を用いた遊び方は、上記実施形態で説明した基本ルールに限るものではなく、使用者それぞれが適切なルールを決定すればよい。
【０１１７】
例えば、カーリングに類するようなルール（即ち、複数の使用者が規定回数ボールを打ち出す毎に、中心から最も近いボールの到達位置に従って勝ち負けを決定して勝者に得点を付与し、その得点の累積によって最終的な勝敗を決定するルール）を適用して、上記第一実施形態のゴルフパター用具１や第二実施形態のゴルフパター用具３０を用いた遊び方をしても良い。
【０１１８】
このようなカーリング競技に類する遊び方を実施すれば、複数（二人）の使用者が交互にボールを打ち出してボールの到達位置に応じた得点を単に加算していくような遊び方を実施した場合に比べて、趣を大とすることができる。
【産業上の利用可能性】
【０１１９】
現在、生涯を通して自分の能力や体力に応じ「誰でも、いつでも、どこでも、気軽に、安全に、楽しく」できるグランドゴルフやターゲットゴルフ、ユニカールなどの様々なニュースポーツが普及しており、特にゲートボールやボウリングなどは、健康スポーツとして既に幅広く普及しており、多くの愛好者が競技を楽しんでいる。
【０１２０】
しかしながら、上記のニュースポーツならびに健康スポーツは、広い競技施設を必要としたり、一定の体力や技量を必要とするものであり、また高額な用具や施設利用料金を必要とするものが多く、利用者においては自分の好みではなく、体力や運動技量、経済事情等をふまえた競技種目を選択せざるを得なかった。
【０１２１】
これに対し、本発明によれば、あらゆるスポーツ愛好者の小学生からお年寄り・障害者に対して選択条件を限りなく制限することのない生涯・健康スポーツであって、大衆性、レジャー性、娯楽性、競技性、ゲーム性、健康志向、コミニュケーションなどの多くの特性を持つ大衆スポーツを提案するものであって、将来的にその健全性と大衆性から学校教育のクラブ活動に導入される可能性を含み、競技人口が増えることによって国民体育大会やオリンピック種目に採用される条件をクリアする競技種目を提案するものである。また、本発明のゴルフパターゲームが普及し競技人口が増えることによって、本来のゴルフ競技人口の底辺の拡大につながるものと考えられる。従って、本発明にかかるゴルフパター用具は、ゴルフ場またはゲーム・遊戯産業での利用の可能性は極めて高いと解される。
【図面の簡単な説明】
【０１２２】
【図１】第一実施形態におけるゴルフパター用具の全体構成を示す説明図である。
【図２】ゴルフパター用具におけるアンジュレーション設定部を説明するための説明図である。
【図３】ゴルフパター用具の第一使用例を説明するための説明図である。
【図４】ゴルフパター用具の第二使用例を説明するための説明図である。
【図５】ゴルフパター用具の他の実施形態について説明するための説明図である。
【図６】第二実施形態におけるゴルフパター用具の構成を示した説明図である。
【図７】第一実施形態のゴルフパター用具に追加可能な演算制御ユニット、即ち、第一実施形態のゴルフパター用具の変形例を示したブロック図である。
【符号の説明】
【０１２３】
１，３０…ゴルフパター用具  ２…基準マット  ３…アドレス表示部  ４…パッティングゾーン  ５…得点エリア表示部  ６…帯状上面マット  ７…打席部  ８…パットスタートライン  ９…アンジュレーション調整マット  １０…差込部  １１…得点エリア  １２…ガータ部  １２ａ…凹部  １２ｂ…壁部  １３…ターゲットポスト  １４…環状部材  １５…足部  １６…嵌め合い部  １７…棒状部材  ５０…演算装置  ５０ａ…ＲＯＭ  ５０ｂ…ＲＡＭ  ５０ｃ…ＣＰＵ  ６０…演算制御ユニット  ６１…表示装置  ６２…音声出力装置  ７０ｉ…ボール検出センサ
【図１】
2008246248.tif 000003
【図２】
2008246248.tif 000004
【図３】
2008246248.tif 000005
【図４】
2008246248.tif 000006
【図５】
2008246248.tif 000007
【図６】
2008246248.tif 000008
【図７】
2008246248.tif 000009